【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
商品の販売又はサービスの提供を行っている店舗で、移動情報端末を所有する利用者が購入した商品又は該利用者が受けたサービスに対する料金の支払いについて、決済支援システムを介した決済を行う決済方法であって、
前記決済支援システムには、前記利用者の移動情報端末との通信に使用される端末識別情報と、前記利用者の本人確認情報と、前記利用者のクレジットカード情報と、前記店舗との決済に使用される取引情報とが登録されており、
前記移動情報端末が、前記店舗の料金支払受付用端末装置から、前記商品又は前記サービスの料金情報を受信するステップと、
前記移動情報端末が、前記料金情報の表示を確認した前記利用者から支払い指示の操作を受け付けると、通信回線を介して前記決済支援システムに、前記料金情報と本人確認情報とを送信するステップと、
前記決済支援システムが、前記移動情報端末から前記料金情報と前記本人確認情報とを受信するステップと、
前記決済支援システムが、前記移動情報端末から受信した前記本人確認情報と、前記登録されている本人確認情報とに基づいて、前記利用者の本人認証を行うステップと、
前記決済支援システムが、前記本人認証に成功した場合に、前記移動情報端末から受信した前記料金情報と、前記登録されている取引情報とに基づいて、前記店舗に対する前記商品又は前記サービスの料金の支払いについての決済を処理するステップと、
前記決済支援システムが、前記店舗への料金の支払いの決済処理が完了した後、通信回線を介して前記移動情報端末に、前記店舗に対する料金の支払いの決済処理が完了したことを通知する決済通知情報を送信するステップと、
前記移動情報端末が、前記決済支援システムから前記決済通知情報を受信して表示するステップと、
前記決済支援システムが、前記店舗への料金の支払いの決済処理が完了した後、前記登録されているクレジットカード情報と、前記移動情報端末から受信した前記料金情報とに基づいて、前記利用者が契約しているクレジットカード会社のサーバに、通信回線を介して、前記利用者のクレジットカードによる前記商品又は前記サービスの料金の支払い決済のための情報を送信するステップと、
を有することを特徴とする決済方法。
【請求項２】
商品の販売又はサービスの提供を行っている店舗で、移動情報端末を所有する利用者が購入した商品又は該利用者が受けたサービスに対する料金の支払いについて決済を行うときに用いる決済支援用情報処理システムであって、
前記利用者の移動情報端末との通信に使用される端末識別情報と、前記利用者の本人確認情報と、前記利用者のクレジットカード情報と、前記店舗との決済に使用される取引情報とを記憶する情報記憶手段と、
前記店舗の料金支払受付用端末装置から前記商品又は前記サービスの料金情報を受信した前記利用者の移動情報端末から、通信回線を介して、前記商品又は前記サービスの料金情報と、本人確認情報とを受信する情報受信手段と、
前記移動情報端末から受信した前記本人確認情報と、前記情報記憶手段に記憶されている本人確認情報とに基づいて、前記利用者の本人認証を行う手段と、
前記本人認証に成功した場合に、前記情報記憶手段に記憶されている前記取引情報と、前記移動情報端末から受信した前記料金情報とに基づいて、前記店舗に対する前記商品又は前記サービスの料金の支払いについての決済を処理する店舗決済処理手段と、
前記店舗への料金の支払いの決済処理が完了した後、通信回線を介して前記移動情報端末に、前記店舗に対する決済が完了したことを通知する決済通知情報を送信する情報送信手段と、
前記店舗に対する決済が完了した後、前記登録されているクレジットカード情報と、前記移動情報端末から受信した前記料金情報とに基づいて、前記利用者が契約しているクレジットカード会社のサーバに、通信回線を介して、前記利用者のクレジットカードによる前記商品又は前記サービスの料金の支払い決済のための情報を送信する手段とを有することを特徴とする決済用情報処理システム。
【手続補正２】
【補正対象書類名】明細書
【補正対象項目名】発明の名称
【補正方法】変更
【補正の内容】
【発明の名称】決済方法及び決済用情報処理システム
【手続補正３】
【補正対象書類名】明細書
【補正対象項目名】０００１
【補正方法】変更
【補正の内容】
【０００１】
本発明は、新規な決済方法、さらに詳しくは、商品の販売又はサービスの提供を行っている店舗で、移動情報端末を所有する利用者が購入した商品又は該利用者が受けたサービスに対する料金の支払いについて、通信事業者などの決済支援機関を介した決済を行い、クレジットカード未加入店でもクレジットカード決済を可能にする決済方法及び決済用情報処理システムに関するものである。
【手続補正４】
【補正対象書類名】明細書
【補正対象項目名】０００４
【補正方法】変更
【補正の内容】
【０００４】
本発明は以上の問題点に鑑みなされたものであり、その目的は、クレジットカード未加入の店舗においても商品やサービスの料金に対するクレジットカード決済が可能になるとともに、店舗にとってはクレジットカードで支払いを受けた場合に比して売り上げた料金をより速やかに回収することが可能になる決済方法及び決済用情報処理システムを提供することである。
【手続補正５】
【補正対象書類名】明細書
【補正対象項目名】０００５
【補正方法】変更
【補正の内容】
【０００５】
上記目的を達成するために、請求項１の発明は、商品の販売又はサービスの提供を行っている店舗で、移動情報端末を所有する利用者が購入した商品又は該利用者が受けたサービスに対する料金の支払いについて、決済支援システムを介した決済を行う決済方法であって、前記決済支援システムには、前記利用者の移動情報端末との通信に使用される端末識別情報と、前記利用者の本人確認情報と、前記利用者のクレジットカード情報と、前記店舗との決済に使用される取引情報とが登録されており、前記移動情報端末が、前記店舗の料金支払受付用端末装置から、前記商品又は前記サービスの料金情報を受信するステップと、前記移動情報端末が、前記料金情報の表示を確認した前記利用者から支払い指示の操作を受け付けると、通信回線を介して前記決済支援システムに、前記料金情報と本人確認情報とを送信するステップと、前記決済支援システムが、前記移動情報端末から前記料金情報と前記本人確認情報とを受信するステップと、前記決済支援システムが、前記移動情報端末から受信した前記本人確認情報と、前記登録されている本人確認情報とに基づいて、前記利用者の本人認証を行うステップと、前記決済支援システムが、前記本人認証に成功した場合に、前記移動情報端末から受信した前記料金情報と、前記登録されている取引情報とに基づいて、前記店舗に対する前記商品又は前記サービスの料金の支払いについての決済を処理するステップと、前記決済支援システムが、前記店舗への料金の支払いの決済処理が完了した後、通信回線を介して前記移動情報端末に、前記店舗に対する料金の支払いの決済処理が完了したことを通知する決済通知情報を送信するステップと、前記移動情報端末が、前記決済支援システムから前記決済通知情報を受信して表示するステップと、前記決済支援システムが、前記店舗への料金の支払いの決済処理が完了した後、前記登録されているクレジットカード情報と、前記移動情報端末から受信した前記料金情報とに基づいて、前記利用者が契約しているクレジットカード会社のサーバに、通信回線を介して、前記利用者のクレジットカードによる前記商品又は前記サービスの料金の支払い決済のための情報を送信するステップと、を有することを特徴とするものである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
また、請求項２の発明は、商品の販売又はサービスの提供を行っている店舗で、移動情報端末を所有する利用者が購入した商品又は該利用者が受けたサービスに対する料金の支払いについて決済を行うときに用いる決済支援用情報処理システムであって、前記利用者の移動情報端末との通信に使用される端末識別情報と、前記利用者の本人確認情報と、前記利用者のクレジットカード情報と、前記店舗との決済に使用される取引情報とを記憶する情報記憶手段と、前記店舗の料金支払受付用端末装置から前記商品又は前記サービスの料金情報を受信した前記利用者の移動情報端末から、通信回線を介して、前記商品又は前記サービスの料金情報と、本人確認情報とを受信する情報受信手段と、前記移動情報端末から受信した前記本人確認情報と、前記情報記憶手段に記憶されている本人確認情報とに基づいて、前記利用者の本人認証を行う手段と、前記本人認証に成功した場合に、前記情報記憶手段に記憶されている前記取引情報と、前記移動情報端末から受信した前記料金情報とに基づいて、前記店舗に対する前記商品又は前記サービスの料金の支払いについての決済を処理する店舗決済処理手段と、前記店舗への料金の支払いの決済処理が完了した後、通信回線を介して前記移動情報端末に、前記店舗に対する決済が完了したことを通知する決済通知情報を送信する情報送信手段と、前記店舗に対する決済が完了した後、前記登録されているクレジットカード情報と、前記移動情報端末から受信した前記料金情報とに基づいて、前記利用者が契約しているクレジットカード会社のサーバに、通信回線を介して、前記利用者のクレジットカードによる前記商品又は前記サービスの料金の支払い決済のための情報を送信する手段とを有することを特徴とするものである。
【手続補正８】
【補正対象書類名】明細書
【補正対象項目名】０００９
【補正方法】変更
【補正の内容】
【０００９】
本発明において、移動情報端末が、店舗の料金支払受付用端末装置から、利用者が購入した商品又は利用者が受けたサービスについて、その商品又はサービスの料金情報を受信して表示する。利用者が移動情報端末の表示を確認し支払い指示の操作を行うと、移動情報端末が、前記料金情報と本人確認情報とを、通信回線を介して決済支援システムに送信する。この料金情報及び本人確認情報を受信した決済支援システムは、移動情報端末から受信した本人確認情報と、登録されている本人確認情報とに基づいて本人認証を行なう。これにより、本人になりすました利用者が移動情報端末を操作して決済処理が実行されるのを未然に回避することができ、移動情報端末の不正利用による被害を防止することができる。
決済支援システムは、本人認証に成功した場合、移動情報端末から受信した料金情報と、店舗との決済に使用される取引情報とに基づいて、店舗に対する商品又はサービスの料金の支払いについての決済処理を実行する。このように店舗に対する決済処理を速やかに実行することができ、店舗は、クレジットカードを用いた場合に比して売り上げた料金をより速やかに回収することが可能となる。
また、決済支援システムは、店舗への料金の支払いの決済処理が完了した後、通信回線を介して移動情報端末に、店舗への料金の支払いの決済処理が完了したことを通知する決済通知情報を送信する。このように決済通知情報が店舗にいる利用者の移動情報端末に通信回線を介して送信されて表示されるため、この決済通知情報に基づいて、店舗側が決済の事実を確認し、利用者との間の取引を安全に進めることができる。
そして、決済支援システムは、店舗への料金の支払いの決済処理が完了した後、登録されているクレジットカード情報と、移動情報端末から受信した料金情報とに基づいて、利用者が契約しているクレジットカード会社のサーバに、通信回線を介して、利用者のクレジットカードによる前記商品又はサービスの料金の支払い決裁のための情報を送信する。この情報に基づいて、利用者に対する商品又はサービスの料金の支払いについてクレジットカードによる決済処理が実行される。これにより、一連の商品販売又はサービス提供の料金に対する決済が完了し、クレジットカード未加入の店舗においても利用者が現金を用意することなく商品やサービスに対する料金を支払うことができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
請求項１及び２の発明によれば、クレジットカード未加入の店舗においても商品やサービスに対する料金に対するクレジットカード決済が可能になり、店舗にとってはクレジットカードで支払いを受けた場合に比して売り上げた料金をより速やかに回収することが可能となる。しかも、本人になりすました利用者が移動情報端末を操作して決済処理が実行されるのを未然に回避し、移動情報端末の不正利用による被害を防止することができる、という優れた効果がある。
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】